(57)【要約】【課題】空気誘導路を形成する筒体の空気の流れをよりスムーズに案内可能なる空気吹き出し装置を提供する。【解決手段】空気誘導路を形成する筒体２内の先端２ａ側に回動可能に支持されて互いに並列して位置する前側風向き調整板４を備え、筒体２の内面２ｂにおける最端側の前側風向き調整板４ａの先端４ａ１との間に形成される隙間７をほぼ同一とするスペーサー８を設けた。【選択図】図２
2014240207.tif 000002
【特許請求の範囲】
【請求項１】
空気誘導路を形成する筒体内の先端側の部位に回動可能に支持されて互いに並列して位置する前側風向き調整板を備える空気吹き出し装置であって、
前記筒体の内面と、最端側の前側風向き調整板の先端との間に形成される隙間をほぼ同一とするスペーサーを設けたことを特徴とする空気吹き出し装置。
【請求項２】
請求項１記載の空気吹き出し装置であって、
前記スペーサーは、前記筒体の前側に配設したガーニッシュと同一面となるよう除変してなることを特徴とする空気吹き出し装置。
【請求項３】
請求項１又は請求項２に記載の空気吹き出し装置であって、
前記スペーサーは、前記筒体の内面と同一面となるように形成された凹部内に配設してなることを特徴とする空気吹き出し装置。
【発明の詳細な説明】
【技術分野】
【０００１】
本願発明は、自動車、航空機、船舶、鉄道車両、家屋、劇場などに配される空気吹き出し装置に関する。
【背景技術】
【０００２】
従来の空気吹き出し装置としては、例えば、空気誘導路を形成する筒体内の先端側の部位に回動可能に支持されて互いに並列して位置する複数の前側風向き調整板と、筒体内における前側風向き調整板の後方側の部位に回動可能に支持されて互いに並列し且つ前側風向き調整板に対して直交状態で位置する後側風向き調整板とを備える空気吹き出し装置であって、後側風向き調整板による吹き出し空気流をポイント的に指向可能とするため、筒体の内面における各後側風向き調整板の最端側の後側風向き調整板が沿う内面に、後側風向き調整板が一方向へ最大限回動した際に後側風向き調整板の先端と内面との間に形成される隙間を閉塞する断面三角形状で最端側の後側風向き調整板に沿う方向に延びる閉塞部を設けたものがある（例えば、特許文献１参照。）。尚、ここでいう前側、後側の言葉の意味は、例えば自動車における前側、後側のことでは無く、例えば、自動車に搭載されたインストルメントパネルに、通常に着座した乗員の顔に向けて空気を吹き出すように設けられた空気吹き出し口における手前側、つまり、通常に着座した乗員にとっての手前側（自動車では後側）のことを前側と言い、通常に着座した乗員にとって手前より離れる側（自動車では前側）のことを後側と言う。以下、この明細書、特許請求の範囲、要約書では、同じ意味として使うものとする。
【先行技術文献】
【特許文献】
【０００３】
【特許文献１】特開２００９−０２３５３０号公報（要約書、図３）
【発明の概要】
【発明が解決しようとする課題】
【０００４】
しかしながら、かかる従来技術は、筒体の内面における各後側風向き調整板の最端側の後側風向き調整板が沿う内面に、後側風向き調整板が一方向へ最大限回動した際に後側風向き調整板の先端と内面との間に形成される隙間を閉塞する断面三角形状で最端側の後側風向き調整板に沿う方向に延びる閉塞部を設けてなるので、閉塞部が空気誘導路を形成する筒体に立ちはだかる抵抗体となってしまう恐れがある。
【０００５】
上記の課題を解決するために、本願発明は、空気誘導路を形成する筒体の空気の流れをよりスムーズに案内可能なる空気吹き出し装置を提供するものである。
【課題を解決するための手段】
【０００６】
上記の課題を解決するために、本願発明の請求項１記載の空気吹き出し装置は、空気誘導路を形成する筒体内の先端側の部位に回動可能に支持されて互いに並列して位置する前側風向き調整板を備える空気吹き出し装置であって、前記筒体の内面と、最端側の前側風向き調整板の先端との間に形成される隙間をほぼ同一とするスペーサーを設けたことを特徴とする。
【０００７】
本願発明の請求項２記載の空気吹き出し装置は、請求項１に記載の前記スペーサーは、前記筒体の前側に配設したガーニッシュと同一面となるよう除変してなることを特徴とする。
【０００８】
本願発明の請求項３記載の空気吹き出し装置は、請求項１又は請求項２に記載の前記スペーサーは、前記筒体の内面と同一面となるように形成された凹部内に配設してなることを特徴とする。
【発明の効果】
【０００９】
請求項１記載の発明によれば、空気誘導路を形成する筒体内の先端側の部位に回動可能に支持されて互いに並列して位置する前側風向き調整板を備える空気吹き出し装置であって、前記筒体の内面と、最端側の前側風向き調整板との間に形成される隙間をほぼ同一とするスペーサーを設けたことを特徴とするため、空気誘導路を形成する筒体の空気の流れをよりスムーズに案内可能となる、という効果を奏する。
【００１０】
また、請求項２記載の発明によれば、前記スペーサーは、前記筒体の前側に配設したガーニッシュと同一面となるよう除変してなるため、前記筒体の前側に配設したガーニッシュにより意匠性が著しく向上したにも関わらず、空気誘導路を形成する筒体の空気の流れをよりスムーズに案内可能となる、という効果を奏する。
【００１１】
更に、請求項３記載の発明によれば、前記スペーサーは、前記筒体の内面と同一面となるように形成された凹部内に配設してなるため、前記筒体の内面を流れる空気の流れをよりスムーズに案内可能となる、という効果を奏する。
【図面の簡単な説明】
【００１２】
【図１】本願発明の実施例１に係る空気吹き出し装置の斜視図。
【図２】図１のＳＡ−ＳＡ線に沿った断面図。
【図３】図１の矢視Ｂに係る空気吹き出し装置の斜視図。
【図４】図３の前側風向き調整板を取り外した状態におけるスペーサーを示した斜視図。
【図５】本願発明の実施例２に係る空気吹き出し装置の図２相当断面図。
【発明を実施するための形態】
【００１３】
以下、本願発明の実施の形態について、詳細に説明する。本願発明において、空気誘導路を形成する筒体の空気の流れをよりスムーズに案内可能なる空気吹き出し装置を提供する、という目的を、空気誘導路を形成する筒体内の先端側の部位に回動可能に支持されて互いに並列して位置する前側風向き調整板を備える空気吹き出し装置であって、前記筒体の内面と、最端側の前側風向き調整板の先端との間に形成される隙間をほぼ同一とするスペーサーを設けたことで、実現した。以下、本願発明の実施例を図面に基づいて説明する。
【実施例１】
【００１４】
本願発明の実施例１に係る構造を、図１〜図４を用いて説明する。自動車のセンタレジスタ、サイドレジスタ、ロアレジスタ等の空気吹き出し装置１は、図示しない空気調整装置などに図示しない周知のダクトを介して開口２ｃに接続されることで、空気誘導路を形成する筒体２と、筒体２内の先端２ａ側の部位に軸３により回動可能に支持されて互いに上下に並列して位置する複数（この実施例では４枚）の前側風向き調整板４と、前記筒体２内における前側風向き調整板４の後方側の部位に軸５により回動可能に支持されて互いに並列し且つ前側風向き調整板４に対して略直交状態で位置する後側風向き調整板６と、前記筒体２の内面２ｂにおける各前側風向き調整板４の最端側の前側風向き調整板４ａが沿う内面２ｂに、前側風向き調整板４ａの先端４ａ１と前記内面２ｂとの間に形成される隙間７をほぼ同一とする板状のスペーサー８と、前記筒体２の先端２ａの前側に配設したガーニッシュ９とを備えてなる。符号６ａは、前記後側風向き調整板６から突出したガイド部であり、図示しない左右風向き調整操作手段により移動される操作部材１４により空気吹き出し左右方向を制御可能としている。符号１５は、前記前側風向き調整板４に設けたノブであり、図示しない上下風向き調整操作手段により移動されることにより空気吹き出し上下方向を制御可能としている。
【００１５】
前記スペーサー８は、前記ガーニッシュ９の開口端部９ａと同一面となるよう除変してなると共に、前記筒体２の内面２ｂと同一面となるように形成された凹部１０内に配設してなる。
【００１６】
符号１１は、前記空気吹き出し装置１を設けた開口１２を有するインストルメントパネルである。図４に示す符号１３は、前記各前側風向き調整板４の軸３が回転自在に係合可能な軸孔であって、最端側の軸孔１３ａの近辺を前記スペーサー８が配されてなるが、該スペーサー８と各前側風向き調整板４の最端側の前側風向き調整板４ａとは、干渉しない位置関係にある。
【００１７】
従って、本実施例１によれば、空気吹き出し装置１は、空気誘導路を形成する筒体２内の先端２ａ側の部位に回動可能に支持されて互いに並列して位置する複数の前側風向き調整板４と、筒体２内における前側風向き調整板４の後方側の部位に回動可能に支持されて互いに並列し且つ前側風向き調整板４に対して略直交状態で位置する後側風向き調整板６とを備え、前記筒体２の内面２ｂにおける各前側風向き調整板４の最端側の前側風向き調整板４ａが沿う内面２ｂに、前側風向き調整板４ａの先端４ａ１と内面２ｂとの間に形成される隙間７をほぼ同一とするスペーサー８を設けたことにより、空気誘導路を形成する筒体２の空気の流れをよりスムーズに案内可能となる、という効果を奏する。
【００１８】
また、前記スペーサー８は、前記筒体２の前側に配設したガーニッシュ９の開口端部９ａと同一面となるよう除変してなるため、前記筒体２の前側に配設したガーニッシュ９により意匠性が著しく向上したにも関わらず、空気誘導路を形成する筒体２の空気の流れをよりスムーズに案内可能となる、という効果を奏する。
【００１９】
更に、前記スペーサー８は、前記筒体２の内面２ｂと同一面となるように形成された凹部１０内に配設してなるため、前記筒体２の内面２ｂを流れる空気の流れをよりスムーズに案内可能となる、という効果を奏する。
【実施例２】
【００２０】
本願発明の実施例２に係る構造を、図５を用いて説明する。自動車のセンタレジスタ、サイドレジスタ、ロアレジスタ等の空気吹き出し装置２０は、図示しない空気調整装置などに図示しない周知のダクトを介して開口２ｃに接続されることで、空気誘導路を形成する筒体２と、筒体２内の先端２ａ側の部位に軸３により回動可能に支持されて互いに上下に並列して位置する複数（この実施例では４枚）の前側風向き調整板４と、前記筒体２内における前側風向き調整板４の後方側の部位に軸５により回動可能に支持されて互いに並列し且つ前側風向き調整板４に対して略直交状態で位置する後側風向き調整板６と、前記筒体２の内面２ｂにおける各前側風向き調整板４の最端側の前側風向き調整板４ａが沿う内面２ｂに、前側風向き調整板４ａの先端４ａ１と前記内面２ｂとの間に形成される隙間７をほぼ同一とする板状のスペーサー２２を一体に形成したガーニッシュ２１とを備えてなる。前記ガーニッシュ２１は、筒体２の先端２ａの前側に配設してなる。符号６ａは、前記後側風向き調整板６から突出したガイド部であり、図示しない左右風向き調整操作手段により移動される操作部材１４により空気吹き出し左右方向を制御可能としている。
【００２１】
前記スペーサー２２は、前記ガーニッシュ２１の開口端部２１ａと同一面となるよう除変してなると共に、前記筒体２の内面２ｂと同一面となるように形成された凹部１０内に配設してなる。
【００２２】
従って、本実施例２によれば、空気吹き出し装置２０は、空気誘導路を形成する筒体２内の先端２ａ側の部位に回動可能に支持されて互いに並列して位置する複数の前側風向き調整板４と、筒体２内における前側風向き調整板４の後方側の部位に回動可能に支持されて互いに並列し且つ前側風向き調整板４に対して略直交状態で位置する後側風向き調整板６とを備え、前記筒体２の内面２ｂにおける各前側風向き調整板４の最端側の前側風向き調整板４ａが沿う内面２ｂに、前側風向き調整板４ａの先端４ａ１と内面２ｂとの間に形成される隙間７をほぼ同一とするスペーサー２２を設けたことにより、空気誘導路を形成する筒体２の空気の流れをよりスムーズに案内可能となる、という効果を奏する。また、前記スペーサー２２は、前記筒体２の前側に配設したガーニッシュ２１と一体に形成したことにより、部品点数が減ると共に、組み付け作業性が向上する、という効果を有する。
【００２３】
そして、前記スペーサー２２は、前記筒体２の前側に配設したガーニッシュ２１の開口端部２１ａと同一面となるよう除変してなるため、前記筒体２の前側に配設したガーニッシュ２１により意匠性が著しく向上したにも関わらず、空気誘導路を形成する筒体２の空気の流れをよりスムーズに案内可能となる、という効果を奏する。
【００２４】
更に、前記スペーサー２２は、前記筒体２の内面２ｂと同一面となるように形成された凹部１０内に配設してなるため、前記筒体２の内面２ｂを流れる空気の流れをよりスムーズに案内可能となる、という効果を奏する。
【００２５】
前記実施例１及び２では、前側風向き調整板４と、この前側風向き調整板４に対して略直交状態で位置する後側風向き調整板６とを設けたことを例にして説明したが、これに限定せず、後側風向き調整板６が無い空気吹き出し装置１、２０としても良い。
【００２６】
また、前記実施例１及び２では、前側風向き調整板４を４枚設けたことを例にして説明したが、これに限定せず、最端側の前側風向き調整板４ａのみとしても良いし、最端側の前側風向き調整板４ａと、１枚または複数の前側風向き調整板４との組み合わせでも良い。
【００２７】
前記実施例１及び２では、空気吹き出し装置１、２０は、自動車に配されてなることを例にして説明したが、これに限定せず、航空機、船舶、鉄道車両、家屋、劇場などに配される空気吹き出し装置でも良い。
【符号の説明】
【００２８】
１、２０  空気吹き出し装置
２  筒体
２ａ  筒体の先端
２ｂ  筒体の内面
４  前側風向き調整板
４ａ  最端側の前側風向き調整板
４ａ１  最端側の前側風向き調整板の先端
７  隙間
８、２２  スペーサー
９、２１  ガーニッシュ
９ａ、２１ａ  ガーニッシュの開口端部
１０  凹部
【図１】
2014240207.tif 000003
【図２】
2014240207.tif 000004
【図３】
2014240207.tif 000005
【図４】
2014240207.tif 000006
【図５】
2014240207.tif 000007